(57)【要約】【課題】妨害磁界発生機構によって複雑な妨害磁界を発生させることが可能であっても、妨害磁界発生機構で発生した妨害磁界の影響が及ぶ範囲を広げることが可能なカードリーダを提供する。【解決手段】このカードリーダでは、妨害磁界発生機構１１は、軟磁性材料で形成される直線状のコア部１４ａ、コア部１４ｂおよびコア部１５ａと、コア部１４ａに巻回されるコイル１６と、コイル１６と直列に接続されコア部１４ｂに巻回されるコイル１７と、コア部１５ａに巻回されるコイル１８と、コイル１６、１７に交流を供給する第１駆動回路と、コイル１８に交流を供給する第２駆動回路とを備えている。コア部１５ａは、コア部１４ａとコア部１４ｂとの間に配置されている。また、コア部１５ａは、コア部１４ａ、１４ｂと別体で形成され、コア部１４ａ、１４ｂから分離されている。【選択図】図３
2020201547.tif 000002
【特許請求の範囲】
【請求項１】
磁気ストライプを有するカードが挿入されるカード挿入口と、前記カード挿入口から挿入される前記カードが移動するカード移動路と、前記磁気ストライプに記録された磁気データの不正な読取りを妨害するための磁界を発生させる妨害磁界発生機構とを備え、
前記妨害磁界発生機構は、軟磁性材料で形成される直線状の第１コア部、第２コア部および第３コア部と、前記第１コア部に巻回されるコイルである第１コイルと、前記第１コイルと直列に接続され前記第２コア部に巻回されるコイルである第２コイルと、前記第３コア部に巻回されるコイルである第３コイルと、前記第１コイルおよび前記第２コイルに交流を供給する第１駆動回路と、前記第３コイルに交流を供給する第２駆動回路とを備え、
前記第１コア部と前記第２コア部と前記第３コア部とは、前記カード移動路を移動する前記カードの厚さ方向において前記カード移動路よりも一方側に配置され、
前記カードの厚さ方向から見たときに、前記第３コア部は、前記第１コア部と前記第２コア部との間に配置され、
前記第１コイルおよび前記第２コイルに交流が供給されると、磁力線の向きが前記第１コア部の一方の端面である第１端面から前記第２コア部の一方の端面である第２端面に向かう方向と前記第２端面から前記第１端面に向かう方向とに変動する交流磁界が発生し、
前記第３コア部は、前記第１コア部および前記第２コア部と別体で形成され、前記第１コア部および前記第２コア部から分離されていることを特徴とするカードリーダ。
【請求項２】
前記妨害磁界発生機構は、前記第１コア部と前記第２コア部とを繋ぐ連結コア部と前記第１コア部と前記第２コア部とを有する第１コアと、前記第３コア部を有する第２コアとを備え、
前記第１コアと前記第２コアとが別体で形成されていることを特徴とする請求項１記載のカードリーダ。
【請求項３】
前記妨害磁界発生機構は、前記第１コア部を有する第１コアと、前記第２コア部を有する第２コアと、前記第３コア部を有する第３コアとを備え、
前記第１コアと前記第２コアと前記第３コアとが別体で形成されていることを特徴とする請求項１記載のカードリーダ。
【請求項４】
前記カード移動路を移動する前記カードの移動方向と前記カードの厚さ方向とに直交する方向を前記カードの幅方向とすると、
前記カードの厚さ方向から見たときに、直線状に形成される前記第１コア部の長手方向、直線状に形成される前記第２コア部の長手方向、および、直線状に形成される前記第３コア部の長手方向は、前記カードの移動方向と略平行になっており、
前記第３コア部は、前記カードの幅方向において前記第１コア部と前記第２コア部との間に配置されていることを特徴とする請求項１から３のいずれかに記載のカードリーダ。
【請求項５】
前記第３コア部の長さは、前記第１コア部の長さおよび前記第２コア部の長さと異なっていることを特徴とする請求項１から４のいずれかに記載のカードリーダ。
【請求項６】
前記第３コア部の長さは、前記第１コア部の長さおよび前記第２コア部の長さよりも長くなっていることを特徴とする請求項５記載のカードリーダ。
【請求項７】
前記カード移動路を移動する前記カードの移動方向と前記カードの厚さ方向とに直交する方向を前記カードの幅方向とすると、
前記カードの幅方向から見たときに、前記カードの移動方向に対する前記第３コア部の傾斜角度は、前記カードの移動方向に対する前記第１コア部の傾斜角度および前記第２コア部の傾斜角度と異なっていることを特徴とする請求項１から６のいずれかに記載のカードリーダ。
【請求項８】
前記カードの幅方向から見たときに、前記カードの移動方向に対する前記第３コア部の傾斜角度は、前記カードの移動方向に対する前記第１コア部の傾斜角度および前記第２コア部の傾斜角度よりも大きくなっていることを特徴とする請求項７記載のカードリーダ。
【発明の詳細な説明】
【技術分野】
【０００１】
本発明は、カードに記録された磁気データの読取りやカードへの磁気データの記録を行うカードリーダに関する。
【背景技術】
【０００２】
従来、犯罪者がカードリーダのカード挿入部に磁気ヘッドを取り付けて、この磁気ヘッドでカードの磁気データを不正に取得するいわゆるスキミングを阻止することが可能なカードリーダが知られている（たとえば、特許文献１参照）。特許文献１に記載のカードリーダは、スキミング用の磁気ヘッド（以下、「スキミング用磁気ヘッド」とする。）での磁気データの読取りを阻止するための妨害磁界を発生させる妨害磁界発生機構を備えている。妨害磁界発生機構は、軟磁性材料で形成されるコアと、コアに巻回される励磁用の４個のコイルとを備えている。
【０００３】
特許文献１に記載のカードリーダでは、コアおよびコイルは、カードが移動するカード移動路よりも上側に配置されている。コアは、前後方向を長手方向として配置される棒状の第１コア部、第２コア部、第３コア部および第４コア部と、第１〜第４コア部の後端同士を繋ぐ棒状の連結コア部とから構成されている。すなわち、第１コア部と第２コア部と第３コア部と第４コア部とは一体となっている。第１〜第４コア部は、左右方向においてこの順番で配置されている。第１〜第４コア部のそれぞれには、コイルが巻回されている。
【０００４】
第１コア部に巻回されるコイルである第１コイルと、第３コア部に巻回されるコイルである第３コイルとは直列に接続され、第２コア部に巻回されるコイルである第２コイルと、第４コア部に巻回されるコイルである第４コイルとは直列に接続されている。第１コイルおよび第３コイルに交流が供給されると、磁力線の向きが第１コア部の前端面から第３コア部の前端面に向かう方向と第３コア部の前端面から第１コア部の前端面に向かう方向とに変動する交流磁界が発生する。また、第２コイルおよび第４コイルに交流が供給されると、磁力線の向きが第２コア部の前端面から第４コア部の前端面に向かう方向と第４コア部の前端面から第２コア部の前端面に向かう方向とに変動する交流磁界が発生する。
【０００５】
特許文献１に記載のカードリーダでは、妨害磁界発生機構は、第１コイルおよび第３コイルに交流を供給する駆動回路と、第２コイルおよび第４コイルに交流を供給する駆動回路とを別々に備えており、第１コイルおよび第３コイルに供給される交流と第２コイルおよび第４コイルに供給される交流とでは、周波数や振幅が異なっている。そのため、特許文献１に記載のカードリーダでは、妨害磁界発生機構によって複雑な妨害磁界を発生させることが可能になっており、その結果、スキミング用磁気ヘッドでの磁気データの不正な読取りを効果的に防止することが可能になっている。
【先行技術文献】
【特許文献】
【０００６】
【特許文献１】特開２０１９−５３６４８号公報
【発明の概要】
【発明が解決しようとする課題】
【０００７】
本願発明者は、カードの挿入口から離れた位置にスキミング用磁気ヘッドが取り付けられた場合でもスキミングを防止することを可能にするために、妨害磁界発生機構で発生した妨害磁界の影響が及ぶ範囲を広げることを検討している。特許文献１に記載のカードリーダでは、第１〜第４コア部の後端同士が繋がっているため、第１コア部と第２コア部と第３コア部と第４コア部との間で磁路が形成されやすい。
【０００８】
したがって、特許文献１に記載のカードリーダでは、第１コア部と第３コア部との間に配置される第２コア部の前端面から第１コア部の前端面または第３コア部の前端面に回り込む磁束や、第１コア部の前端面または第３コア部の前端面から第２コア部の前端面に回り込む磁束が発生しやすい。また、第２コア部と第４コア部との間に配置される第３コア部の前端面から、第２コア部の前端面または第４コア部の前端面に回り込む磁束や、第２コア部の前端面または第４コア部の前端面から第３コア部の前端面に回り込む磁束が発生しやすい。また、特許文献１に記載のカードリーダでは、このような磁束が発生しやすいため、妨害磁界発生機構で発生した妨害磁界の影響が及ぶ範囲を広げることは困難であることが本願発明者の検討によって明らかになった。
【０００９】
そこで、本発明の課題は、カードの磁気ストライプに記録された磁気データの不正な読取りを妨害するための磁界を発生させる妨害磁界発生機構を備えるカードリーダにおいて、妨害磁界発生機構によって複雑な妨害磁界を発生させることが可能であっても、妨害磁界発生機構で発生した妨害磁界の影響が及ぶ範囲を広げることが可能なカードリーダを提供することにある。
【課題を解決するための手段】
【００１０】
上記の課題を解決するため、本発明のカードリーダは、磁気ストライプを有するカードが挿入されるカード挿入口と、カード挿入口から挿入されるカードが移動するカード移動路と、磁気ストライプに記録された磁気データの不正な読取りを妨害するための磁界を発生させる妨害磁界発生機構とを備え、妨害磁界発生機構は、軟磁性材料で形成される直線状の第１コア部、第２コア部および第３コア部と、第１コア部に巻回されるコイルである第１コイルと、第１コイルと直列に接続され第２コア部に巻回されるコイルである第２コイルと、第３コア部に巻回されるコイルである第３コイルと、第１コイルおよび第２コイルに交流を供給する第１駆動回路と、第３コイルに交流を供給する第２駆動回路とを備え、第１コア部と第２コア部と第３コア部とは、カード移動路を移動するカードの厚さ方向においてカード移動路よりも一方側に配置され、カードの厚さ方向から見たときに、第３コア部は、第１コア部と第２コア部との間に配置され、第１コイルおよび第２コイルに交流が供給されると、磁力線の向きが第１コア部の一方の端面である第１端面から第２コア部の一方の端面である第２端面に向かう方向と第２端面から第１端面に向かう方向とに変動する交流磁界が発生し、第３コア部は、第１コア部および第２コア部と別体で形成され、第１コア部および第２コア部から分離されていることを特徴とする。
【００１１】
本発明のカードリーダでは、妨害磁界発生機構は、第１コイルおよび第２コイルに交流を供給する第１駆動回路と、第３コイルに交流を供給する第２駆動回路とを備えている。そのため、本発明では、第１コイルおよび第２コイルに供給される交流と第３コイルに供給される交流とで、周波数や振幅を異ならせることが可能になる。したがって、本発明では、妨害磁界発生機構によって複雑な妨害磁界を発生させることが可能になる。
【００１２】
また、本発明では、第３コア部は、第１コア部および第２コア部と別体で形成されており、第１コア部および第２コア部から分離されている。すなわち、本発明では、第３コア部は、第１コア部および第２コア部と繋がっていない。そのため、本発明では、第１コア部および第２コア部と、第３コア部との間で磁路が形成されにくい。したがって、本発明では、第１コア部と第２コア部との間に配置される第３コア部から、第１コア部または第２コア部に回り込む磁束や、第１コア部または第２コア部から第３コア部に回り込む磁束が発生しにくくなる。その結果、本発明では、妨害磁界発生機構で発生した妨害磁界の影響が及ぶ範囲を広げることが可能になる。すなわち、本発明では、妨害磁界発生機構によって複雑な妨害磁界を発生させることが可能であっても、妨害磁界発生機構で発生した妨害磁界の影響が及ぶ範囲を広げることが可能になる。
【００１３】
本発明において、たとえば、妨害磁界発生機構は、第１コア部と第２コア部とを繋ぐ連結コア部と第１コア部と第２コア部とを有する第１コアと、第３コア部を有する第２コアとを備え、第１コアと第２コアとが別体で形成されている。この場合には、第１コア部と第２コア部とが連結コア部によって繋がれているため、第１コア部と第２コア部との間の磁束の漏れを抑制することが可能になる。したがって、第１コア部および第２コア部が発生させる妨害磁界の強度を高めることが可能になる。
【００１４】
また、本発明において、妨害磁界発生機構は、第１コア部を有する第１コアと、第２コア部を有する第２コアと、第３コア部を有する第３コアとを備え、第１コアと第２コアと第３コアとが別体で形成されていても良い。
【００１５】
本発明において、カード移動路を移動するカードの移動方向とカードの厚さ方向とに直交する方向をカードの幅方向とすると、たとえば、カードの厚さ方向から見たときに、直線状に形成される第１コア部の長手方向、直線状に形成される第２コア部の長手方向、および、直線状に形成される第３コア部の長手方向は、カードの移動方向と略平行になっており、第３コア部は、カードの幅方向において第１コア部と第２コア部との間に配置されている。この場合には、カードの厚さ方向から見たときに、第１コア部の長手方向、第２コア部の長手方向および第３コア部の長手方向がカードの移動方向に対して傾いている場合と比較して、カードリーダの前方のより遠い位置まで、妨害磁界発生機構で発生した妨害磁界の影響が及ぶ範囲を広げることが可能になる。
【００１６】
本発明において、第３コア部の長さは、第１コア部の長さおよび第２コア部の長さと異なっていることが好ましい。このように構成すると、第３コア部の一端を、第１コア部の一端および第２コア部の一端から遠ざけることが可能になるか、あるいは、第３コア部の両端を、第１コア部の両端および第２コア部の両端から遠ざけることが可能になる。したがって、第３コア部から第１コア部または第２コア部に回り込む磁束や、第１コア部または第２コア部から第３コア部に回り込む磁束がより発生しにくくなる。
【００１７】
本発明において、たとえば、第３コア部の長さは、第１コア部の長さおよび第２コア部の長さよりも長くなっている。この場合には、第３コア部に巻回される第３コイルの巻き数を増やすことが可能になる。したがって、第３コア部が発生させる妨害磁界の強度を高めることが可能になる。
【００１８】
本発明において、カード移動路を移動するカードの移動方向とカードの厚さ方向とに直交する方向をカードの幅方向とすると、カードの幅方向から見たときに、カードの移動方向に対する第３コア部の傾斜角度は、カードの移動方向に対する第１コア部の傾斜角度および第２コア部の傾斜角度と異なっていることが好ましい。このように構成すると、第３コア部の一端を、第１コア部の一端および第２コア部の一端から遠ざけることが可能になるか、あるいは、第３コア部の両端を、第１コア部の両端および第２コア部の両端から遠ざけることが可能になる。したがって、第３コア部から第１コア部または第２コア部に回り込む磁束や、第１コア部または第２コア部から第３コア部に回り込む磁束がより発生しにくくなる。
【００１９】
本発明において、たとえば、カードの幅方向から見たときに、カードの移動方向に対する第３コア部の傾斜角度は、カードの移動方向に対する第１コア部の傾斜角度および第２コア部の傾斜角度よりも大きくなっている。
【発明の効果】
【００２０】
以上のように、本発明では、カードの磁気ストライプに記録された磁気データの不正な読取りを妨害するための磁界を発生させる妨害磁界発生機構を備えるカードリーダにおいて、妨害磁界発生機構によって複雑な妨害磁界を発生させることが可能であっても、妨害磁界発生機構で発生した妨害磁界の影響が及ぶ範囲を広げることが可能になる。
【図面の簡単な説明】
【００２１】
【図１】本発明の実施の形態にかかるカードリーダの構成を説明するための平面図である。
【図２】図１に示すカードリーダの前端部の構成を説明するための側面図である。
【図３】図２に示す妨害磁界発生機構の斜視図である。
【図４】図２に示す妨害磁界発生機構の平面図である。
【図５】図２に示す妨害磁界発生機構の構成を説明するためのブロック図である。
【図６】本発明の他の実施の形態にかかる妨害磁界発生機構の斜視図である。
【図７】本発明の他の実施の形態にかかる妨害磁界発生機構の斜視図である。
【発明を実施するための形態】
【００２２】
以下、図面を参照しながら、本発明の実施の形態を説明する。
【００２３】
（カードリーダの概略構成）
図１は、本発明の実施の形態にかかるカードリーダ１の構成を説明するための平面図である。図２は、図１に示すカードリーダ１の前端部の構成を説明するための側面図である。
【００２４】
本形態のカードリーダ１は、ユーザが手動でカード２を操作して、カード２に記録されたデータの読取りおよびカード２へのデータの記録の少なくともいずれか一方を行うための装置である。具体的には、カードリーダ１は、カードリーダ１へのカード２の挿入とカードリーダ１からのカード２の引抜きとを手動で行ってデータの読取りや記録を行ういわゆるディップ式のカードリーダである。このカードリーダ１は、所定の上位装置（図示省略）に搭載されて使用される。
【００２５】
カードリーダ１には、カード２が挿入されるカード挿入口３と、カード挿入口３から挿入されるカード２が移動するカード移動路４とが形成されている。カード２は、カード移動路４を直線的に移動する。以下の説明では、カード移動路４を移動するカード２の移動方向である図１等のＸ方向を前後方向とする。また、カード移動路４を移動するカード２の厚さ方向である図１等のＺ方向を上下方向とし、カード２の移動方向（前後方向）とカード２の厚さ方向（上下方向）とに直交するカード２の幅方向である図１等のＹ方向を左右方向とする。
【００２６】
また、前後方向のうちの、カード挿入口３からのカード２の抜取り方向側である図１等のＸ１方向側を「前」側とし、カード挿入口３へのカード２の挿入方向側である図１等のＸ２方向側を「後ろ」側とする。また、上下方向の一方側である図２等のＺ１方向側を「上」側とし、その反対側である図２等のＺ２方向側を「下」側とし、左右方向の一方側である図１等のＹ１方向側を「右」側とし、その反対側である図１等のＹ２方向側を「左」側とする。
【００２７】
カード２は、たとえば、厚さが０．７〜０．８ｍｍ程度の略長方形状の塩化ビニール製のカードである。カード２の裏面には、磁気データが記録される磁気ストライプ２ａが形成されている。磁気ストライプ２ａは、略長方形状に形成されるカード２の長手方向に沿う細長い帯状に形成されている。また、カード２には、ＩＣチップが内蔵されており、カード２のおもて面には、ＩＣチップの外部接続端子が形成されている。なお、カード２には、通信用のアンテナが内蔵されていても良い。カード２は、厚さが０．１８〜０．３６ｍｍ程度のＰＥＴ（ポリエチレンテレフタレート）カードであっても良いし、所定の厚さの紙カード等であっても良い。
【００２８】
カード２は、カード２の裏面が下側を向いた状態で、カードリーダ１に挿入されて、カード移動路４を移動する。また、カード２は、カード２の長手方向と前後方向とが略一致した状態で、カードリーダ１に挿入されて、カード移動路４を移動する。カード移動路４は、左右方向から見たときの形状が直線状となるように形成されている。カード移動路４の前端は、カード挿入口３となっている。
【００２９】
カードリーダ１の前端側の一部分は、ユーザによるカード２の挿入およびカード２の引抜きが可能となるように切り欠かれた切欠部５となっている。切欠部５は、カードリーダ１のフレームの前端から後ろ側に向かって切り欠かれるように形成されている。また、左右方向では、カードリーダ１のフレームの中間位置に切欠部５が形成されており、左右方向における切欠部５の両側には、突出部６、７が形成されている。突出部６は、切欠部５の右側に配置され、突出部７は、切欠部５の左側に配置されている。切欠部５の左右方向の幅は、ユーザの指が入る広さとなっている。図１の２点鎖線で示すように、カードリーダ１の奥側に挿入されたカード２の一部は切欠部５において露出する。
【００３０】
カードリーダ１は、カード２の外部接続端子に接触する複数のＩＣ接点バネを有するＩＣ接点ブロック８と、カード２に記録された磁気データの読取りおよびカード２への磁気データの記録の少なくともいずれか一方を行う磁気ヘッド９と、カードリーダ１に挿入されたカード２の引抜きを防止するレバー部材１０とを備えている。また、カードリーダ１は、カード２の磁気ストライプ２ａに記録された磁気データの不正な読取りを妨害するための磁界を発生させる妨害磁界発生機構１１を備えている。
【００３１】
ＩＣ接点ブロック８は、カードリーダ１の奥端側部分に配置されている。また、ＩＣ接点ブロック８は、ＩＣ接点バネが上側からカード移動路４に臨むように配置されており、ＩＣ接点ブロック８は、カード移動路４の上側に配置されている。磁気ヘッド９は、突出部６に配置されている。また、磁気ヘッド９は、カード移動路４に下側から臨むように配置されている。磁気ヘッド９は、左右方向において、カード２の磁気ストライプ２ａが通過する位置に配置されている。レバー部材１０は、全体として細長い棒状に形成されており、レバー部材１０の長手方向と前後方向とが略一致するように、カードリーダ１の右端側に配置されている。
【００３２】
（妨害磁界発生機構の構成）
図３は、図２に示す妨害磁界発生機構１１の斜視図である。図４は、図２に示す妨害磁界発生機構１１の平面図である。図５は、図２に示す妨害磁界発生機構１１の構成を説明するためのブロック図である。
【００３３】
妨害磁界発生機構１１は、たとえば、カード挿入口３からカード２が挿入される際、および、カード挿入口３からカード２が引き抜かれる際に妨害磁界を発生させる。妨害磁界発生機構１１は、軟磁性材料で形成される２個のコア１４、１５と、コア１４に巻回される励磁用の２個のコイル１６、１７と、コア１５に巻回される励磁用の１個のコイル１８と、コイル１６、１７に交流を供給する駆動回路１９と、コイル１８に交流を供給する駆動回路２０とを備えている。コア１４とコア１５とは、別体で形成されている。駆動回路１９、２０は、図示を省略する回路基板に実装されている。
【００３４】
妨害磁界発生機構１１は、突出部６を覆う中空状のカバー部材の内部に配置されている。すなわち、コア１４、１５およびコイル１６〜１８は、突出部６を覆うカバー部材の内部に配置されている。コア１４、１５およびコイル１６〜１８は、カード移動路４よりも上側に配置されている。また、コア１４、１５およびコイル１６〜１８は、突出部６の前側または突出部６の前端部の上側に配置されている。コア１４、１５およびコイル１６〜１８は、左右方向において、カード２の磁気ストライプ２ａが通過する位置に配置されている。
【００３５】
コア１４は、直線状に形成されるコア部１４ａと、直線状に形成されるコア部１４ｂと、コア部１４ａとコア部１４ｂとを繋ぐ連結コア部１４ｃとを備えている。本形態のコア１４は、コア部１４ａ、１４ｂと連結コア部１４ｃとから構成されている。コア部１４ａ、１４ｂは、棒状に形成されている。具体的には、コア部１４ａ、１４ｂは、四角柱状に形成されている。コア部１４ａとコア部１４ｂとは、同形状に形成されており、コア部１４ａの長さとコア部１４ｂの長さとは等しくなっている。コア部１４ａとコア部１４ｂとは、略平行に配置されている。すなわち、コア部１４ａの長手方向とコア部１４ｂの長手方向とは、略平行になっている。
【００３６】
コア部１４ａとコア部１４ｂとは、左右方向に間隔をあけた状態で配置されている。上下方向から見たときに、コア部１４ａ、１４ｂの長手方向は、前後方向と略平行になっている。コア部１４ａの前端とコア部１４ｂの前端とは、前後方向において同じ位置に配置されている。左右方向から見たときに、コア部１４ａとコア部１４ｂとは完全に重なっている。連結コア部１４ｃは、コア部１４ａの後端とコア部１４ｂの後端とを繋いでいる。連結コア部１４ｃは、長方形の平板状に形成されている。連結コア部１４ｃの長手方向（長辺方向）は、左右方向と平行になっている。すなわち、コア１４は、Ｕ形状（コの字状）に形成されている。
【００３７】
コイル１６は、コア部１４ａに巻回され、コイル１７は、コア部１４ｂに巻回されている。具体的には、コイル１６は、ボビン（図示省略）を介してコア部１４ａに巻回され、コイル１７は、ボビン（図示省略）を介してコア部１４ｂに巻回されている。コイル１６とコイル１７とは直列に接続されている。コイル１６の巻回方向とコイル１７の巻回方向とは逆方向になっている。駆動回路１９からコイル１６、１７に交流が供給されると、磁力線の向きがコア部１４ａの前端面１４ｅからコア部１４ｂの前端面１４ｆに向かう方向と前端面１４ｆから前端面１４ｅに向かう方向とに変動する妨害磁界（交流磁界）が発生する。
【００３８】
本形態のコア１４は、第１コアである。また、本形態のコア部１４ａは、第１コア部であり、コア部１４ｂは、第２コア部であり、コイル１６は、第１コイルであり、コイル１７は、第２コイルであり、駆動回路１９は、第１駆動回路である。また、本形態では、コア部１４ａの前端面１４ｅは、コア部１４ａの一方の端面である第１端面となっており、コア部１４ｂの前端面１４ｆは、コア部１４ｂの一方の端面である第２端面となっている。
【００３９】
コア１５は、直線状に形成されるコア部１５ａを備えている。コア部１５ａは、細長い長方形の平板状に形成されている。本形態のコア１５は、コア部１５ａによって構成されており、コア１５は、細長い長方形の平板状に形成されている。上下方向から見たときに、コア部１５ａ（すなわち、コア１５）の長手方向（長辺方向）は、前後方向と略平行になっている。すなわち、上下方向から見たときに、コア部１５ａの長手方向とコア部１４ａ、１４ｂの長手方向とは、略平行になっている。
【００４０】
上下方向から見たときに、コア部１５ａは、コア部１４ａとコア部１４ｂとの間に配置されている。すなわち、コア部１５ａは、左右方向においてコア部１４ａとコア部１４ｂとの間に配置されている。上述のように、コア１４とコア１５とは、別体で形成されている。すなわち、コア部１５ａは、コア部１４ａ、１４ｂと別体で形成されており、コア部１４ａ、１４ｂから分離されている。すなわち、コア部１５ａは、コア部１４ａ、１４ｂと繋がっていない。
【００４１】
コイル１８は、コア部１５ａに巻回されている。具体的には、コイル１８は、ボビン（図示省略）を介してコア部１５ａに巻回されている。コイル１８は、左右方向においてコイル１６とコイル１７との間に配置されている。駆動回路２０からコイル１８に交流が供給されると、磁力線の向きがコア部１５ａの前端面１５ｂに向かう方向とコア部１５ａの後端面１５ｃに向かう方向とに変動する妨害磁界（交流磁界）が発生する。本形態では、コイル１６、１７に供給される交流とコイル１８に供給される交流とでは、周波数や振幅が異っている。本形態のコア１５は、第２コアであり、コア部１５ａは、第３コア部であり、コイル１８は、第３コイルであり、駆動回路２０は、第２駆動回路である。
【００４２】
図２に示すように、左右方向から見たときに、コア１４、１５は、前後方向に対して傾いている。すなわち、左右方向から見たときに、コア部１４ａ、１４ｂ、１５ａは、前後方向に対して傾いている。具体的には、左右方向から見たときに、コア部１４ａ、１４ｂ、１５ａは、後ろ側に向かうにしたがって上側に向かうように傾斜している。左右方向から見たときに、前後方向に対するコア部１５ａの傾斜角度θ１は、前後方向に対するコア部１４ａ、１４ｂの傾斜角度θ２と異なっている。本形態では、コア部１５ａの傾斜角度θ１は、コア部１４ａ、１４ｂの傾斜角度θ２よりも大きくなっている。たとえば、傾斜角度θ１は、２２°程度であり、傾斜角度θ２は、２°程度である。
【００４３】
コア部１５ａの長さは、コア部１４ａ、１４ｂの長さと異なっている。本形態では、コア部１５ａの長さは、コア部１４ａ、１４ｂの長さよりも長くなっている。たとえば、コア部１５ａの長さは、コア部１４ａ、１４ｂの長さの２倍程度となっている。前後方向において、コア部１５ａの前端は、コア部１４ａ、１４ｂの前端とほぼ同じ位置に配置されている。コア部１５ａの後端は、コア部１４ａ、１４ｂの後端よりも後ろ側に配置されている。なお、左右方向においてコア部１４ａとコア部１４ｂとの間に配置されるコア部１５ａが連結コア部１４ｃと干渉しないように、コア部１５ａの傾斜角度θ１およびコア部１４ａ、１４ｂの傾斜角度θ２が設定されている。
【００４４】
（本形態の主な効果）
以上説明したように、本形態では、妨害磁界発生機構１１は、コイル１６、１７に交流を供給する駆動回路１９と、コイル１８に交流を供給する駆動回路２０とを備えており、コイル１６、１７に供給される交流とコイル１８に供給される交流とでは、周波数や振幅が異なっている。そのため、本形態では、妨害磁界発生機構１１によって複雑な妨害磁界を発生させることが可能になる。
【００４５】
本形態では、コア部１５ａは、コア部１４ａ、１４ｂと別体で形成されており、コア部１４ａ、１４ｂと繋がっていない。そのため、本形態では、コア部１４ａ、１４ｂと、コア部１５ａとの間で磁路が形成されにくい。したがって、本形態では、コア部１４ａとコア部１４ｂとの間に配置されるコア部１５ａから、コア部１４ａまたはコア部１４ｂに回り込む磁束や、コア部１４ａまたはコア部１４ｂからコア部１５ａに回り込む磁束が発生しにくくなる。その結果、本形態では、妨害磁界発生機構１１で発生した妨害磁界の影響が及ぶ範囲を広げることが可能になる。たとえば、コア部１５ａの前端面１５ｂから、コア部１４ａの前端面１４ｅまたはコア部１４ｂの前端面１４ｆに回り込む磁束が発生しにくくなるため、カードリーダ１の前方のより遠い位置まで、妨害磁界発生機構１１で発生した妨害磁界の影響が及ぶ範囲を広げることが可能になる。
【００４６】
また、本形態では、コア部１５ａの長さがコア部１４ａ、１４ｂの長さと異なっているとともに、左右方向から見たときに、前後方向に対するコア部１５ａの傾斜角度θ１が前後方向に対するコア部１４ａ、１４ｂの傾斜角度θ２と異なっている。そのため、本形態では、コア部１５ａの後端をコア１４の後端から遠ざけることが可能になる。したがって、本形態では、コア部１５ａの後端側において、コア部１５ａからコア１４に回り込む磁束や、コア１４からコア部１５ａに回り込む磁束がより発生しにくくなる。したがって、本形態では、妨害磁界発生機構１１で発生した妨害磁界の影響が及ぶ範囲をより広げることが可能になる。
【００４７】
本形態では、上下方向から見たときに、直線状に形成されるコア部１４ａ、１４ｂ、１５ａの長手方向は、前後方向と略平行になっている。そのため、本形態では、上下方向から見たときに、コア部１４ａ、１４ｂ、１５ａの長手方向が前後方向に対して傾いている場合と比較して、カードリーダ１の前方のより遠い位置まで、妨害磁界発生機構１１で発生した妨害磁界の影響が及ぶ範囲を広げることが可能になる。
【００４８】
本形態では、コア部１４ａとコア部１４ｂとが連結コア部１４ｃによって繋がれている。そのため、本形態では、コア部１４ａとコア部１４ｂとの間の磁束の漏れを抑制することが可能になる。したがって、本形態では、コア部１４ａ、１４ｂが発生させる妨害磁界の強度を高めることが可能になる。また、本形態では、コア部１５ａの長さがコア部１４ａ、１４ｂの長さよりも長くなっているため、コア部１５ａに巻回されるコイル１８の巻き数を増やすことが可能になる。したがって、本形態では、コア部１５ａが発生させる妨害磁界の強度を高めることが可能になる。
【００４９】
（コアの変形例）
図６、図７は、本発明の他の実施の形態にかかる妨害磁界発生機構１１の斜視図である。
【００５０】
上述した形態において、図６に示すように、コア部１４ａとコア部１４ｂとが連結コア１４ｃによって繋がれていなくても良い。この場合には、妨害磁界発生機構１１は、コア部１４ａによって構成されるコア１４と、コア部１４ｂによって構成されるコア２４と、コア部１５ａによって構成されるコア１５とを備えており、コア１４とコア２４とコア１５とが別体で形成されている。この場合のコア１４は、第１コアであり、コア２４は、第２コアであり、コア１５は、第３コアである。なお、図６では、上述した形態と同様の構成には、同一の符号を付している。
【００５１】
また、上述した形態において、図７に示すように、コア１５は、コア部１５ａと同形状に形成されるとともにコア部１５ａと平行に配置されるコア部１５ｄと、コア部１５ａの後端とコア部１５ｄの後端とを繋ぐ連結コア部１５ｅとを備えていても良い。この場合には、左右方向においてコア部１５ａとコア部１５ｄとの間にコア部１４ａが配置されている。また、コア部１５ｄには、コイル２８が巻回されている。コイル１８とコイル２８とは直列に接続されている。
【００５２】
コイル１８の巻回方向とコイル２８の巻回方向とは逆方向になっている。駆動回路２０は、コイル１８、２８に交流を供給する。駆動回路２０からコイル１８、２８に交流が供給されると、磁力線の向きがコア部１５ａの前端面１５ｂからコア部１５ｄの前端面１５ｆに向かう方向と前端面１５ｆから前端面１５ｂに向かう方向とに変動する妨害磁界（交流磁界）が発生する。なお、図７では、上述した形態と同様の構成には、同一の符号を付している。
【００５３】
（他の実施の形態）
上述した形態は、本発明の好適な形態の一例ではあるが、これに限定されるものではなく本発明の要旨を変更しない範囲において種々変形実施が可能である。
【００５４】
上述した形態において、コア部１４ａ、１４ｂの前端とコア部１５ａの前端とが前後方向においてずれていても良い。また、上述した形態において、コア部１４ａの前端とコア部１４ｂの前端とが前後方向においてずれていても良い。また、コア部１４ａとコア部１４ｂとは同形状に形成されていなくても良い。
【００５５】
上述した形態において、コア部１４ａ、１４ｂの長さがコア部１５ａの長さより長くなっていても良い。この場合であっても、コア部１５ａの後端をコア１４の後端から遠ざけることが可能になる。また、上述した形態において、コア部１５ａの長さとコア部１４ａ、１４ｂの長さとが等しくなっていても良い。
【００５６】
上述した形態において、左右方向から見たときに、コア部１４ａ、１４ｂは、前後方向と平行になっていても良い。また、上述した形態において、コア部１４ａ、１４ｂの傾斜角度θ２がコア部１５ａの傾斜角度θ１より大きくなっていても良い。また、傾斜角度θ１と傾斜角度θ２とが等しくなっていても良い。傾斜角度θ１と傾斜角度θ２とが等しい場合には、コア部１５ａの長さは、コア部１４ａ、１４ｂの長さよりも短くなっている。ただし、図６に示す変形例においては、傾斜角度θ１と傾斜角度θ２とが等しい場合に、コア部１５ａの長さがコア部１４ａ、１４ｂの長さより長くなっていても良い。
【００５７】
上述した形態において、上下方向から見たときに、コア部１４ａ、１４ｂ、１５ａの長手方向が前後方向に対して傾いていても良い。また、上述した形態において、妨害磁界発生機構１１は、カード移動路４より下側に配置されていても良い。また、上述した形態では、カードリーダ１は、手動式のカードリーダであるが、本発明の構成が適用されるカードリーダは、カード２の搬送機構を有するカード搬送式のカードリーダであっても良い。
【符号の説明】
【００５８】
１  カードリーダ
２  カード
２ａ  磁気ストライプ
３  カード挿入口
４  カード移動路
１１  妨害磁界発生機構
１４  コア（第１コア）
１４ａ  コア部（第１コア部）
１４ｂ  コア部（第２コア部）
１４ｃ  連結コア部
１４ｅ  前端面（第１端面）
１４ｆ  前端面（第２端面）
１５  コア（第２コア、第３コア）
１５ａ  コア部（第３コア部）
１６  コイル（第１コイル）
１７  コイル（第２コイル）
１８  コイル（第３コイル）
１９  駆動回路（第１駆動回路）
２０  駆動回路（第２駆動回路）
２４  コア（第２コア）
Ｘ  カードの移動方向
Ｙ  カードの幅方向
Ｚ  カードの厚さ方向
θ１  第３コア部の傾斜角度
θ２  第１コア部、第２コア部の傾斜角度
【図１】
2020201547.tif 000003
【図２】
2020201547.tif 000004
【図３】
2020201547.tif 000005
【図４】
2020201547.tif 000006
【図５】
2020201547.tif 000007
【図６】
2020201547.tif 000008
【図７】
2020201547.tif 000009